(57)【特許請求の範囲】
【請求項１】
巻尺ケースに設けられたベルトクリップに取り付けて使用され、使用者のベルト側に取り付けられるクリップ体に磁気吸着力にて着脱自在に装着される磁着用部材であって、巻尺ケースのベルトクリップにおけるベルト係着用舌片上の外側に配設され、マグネットまたはマグネットと磁着可能な部材を備える本体部材と、前記ベルト係着用舌片の内側に配設される固定部材よりなり、これら本体部材と固定部材を、ベルト係着用舌片に設けられた通孔を介して接続できるように構成してなるマグネット保持具の巻尺側に装着する磁着用部材。
【請求項２】
前記固定部材における前記ベルト係着用舌片に有する通孔径よりも小なる外径の雌ねじポストを同ベルト係着用舌片の通孔にケース側より挿通して同固定部材をベルト係着用舌片に対しケース側にセットするとともに、前記本体部材を貫通する貫通孔を介して雄ねじを前記固定部材の雌ねじポストに螺挿して、本体部材を固定部材に固定することによりベルト係着用舌片上に取り付けることができるように構成してなる請求項１に記載のマグネット保持具の巻尺側に装着する磁着用部材。
【請求項３】
前記固定部材と本体部材の横幅を巻尺のベルト係着用舌片の横幅よりも大なるものとし、これら固定部材と本体部材の側端部寄りにそれぞれ設けた係合部どうしを嵌め合わせることにより、固定部材と本体部材とを係合させるように構成してなる請求項１または２に記載のマグネット保持具の巻尺側に装着する磁着用部材。
【発明の詳細な説明】
【技術分野】
【０００１】
本発明は、巻尺を使用者の腰ベルトに装着するマグネット保持具に磁着させて携帯できるようにしたマグネット保持具の巻尺側に装着する磁着可能な磁着部材に関し、より詳しくは、磁着部材を備えていない所定の巻尺に対し、同磁着部材を後からでも容易に装着できるようにしたマグネット保持具の巻尺側に装着する磁着部材に関する。
【背景技術】
【０００２】
従来、作業中において巻尺を使用しない時は、使用者の腰ベルトに装着しているマグネット保持具のマグネットに、巻尺側に装着しているマグネットや磁着可能な金属等の磁着部材を磁着させて、巻尺を同マグネット保持具で保持して携帯する場合がある（例えば、特許文献１参照）。
【０００３】
上述のように巻尺をマグネット保持具で保持する場合は、当初より磁着部材が設けられているマグネット保持具対応の専用巻尺、あるいは巻尺に通常設けられているベルトクリップに代えて、同ベルトクリップの設置部位にマグネット保持具のマグネットと磁着できる前述するマグネットもしくは磁着可能な金属からなる磁着部材を設けた巻尺が必要であった。
【０００４】
しかしながら、巻尺に通常設けられているベルトクリップに代えて磁着部材を取り付けてマグネット保持具に対応させようとしても、この磁着部材を後から取り付けようとする巻尺と当初より磁着部材が設けられている巻尺とでは、巻尺の大小や巻尺の性能を直接左右する巻尺ケース内の測定テープを巻回する回転ドラム等の内装部品が相違することもあり、また、ベルトクリップを取り付けている雄ねじと磁着部材を取り付ける雄ねじにおいても、雄ねじ寸法の相違や磁着部材を確実に固定するための雄ねじが螺挿される雌ねじ部の構造も相違することもあるので、単にベルトクリップを取り外して磁着部材を取り付ければ済むというものではなかった。
【０００５】
したがって、巻尺をマグネット保持具で保持して携帯しようとする場合、当初より巻尺にマグネットもしくは磁着可能な金属からなる磁着部材が設けられているものでなければ、巻尺を安全にマグネット保持具で保持して携帯することは不可能に等しかった。
【０００６】
【特許文献１】特許公開２００６−２３４８９６号公報（第１〜１１頁、図１〜１９）
【発明の開示】
【発明が解決しようとする課題】
【０００７】
本発明は、磁着部材ではなく通常装備のベルトクリップを備える巻尺に対し、後からでも容易にマグネットもしくは磁着可能な金属からなる磁着部材を装着できるようにして、巻尺を安全にマグネット保持具で保持して携帯することができるマグネット保持具の巻尺側に装着する磁着部材を提供できるようにした。
【課題を解決するための手段】
【０００８】
上述した課題を解決するために、本発明に係るマグネット保持具の巻尺側に装着する磁着部材は、巻尺ケースに設けられたベルトクリップに取り付けて使用され、使用者のベルト側に取り付けられるクリップ体に磁気吸着力にて着脱自在に装着される磁着用部材であって、巻尺ケースのベルトクリップにおけるベルト係着用舌片上の外側に配設され、マグネットまたはマグネットと磁着可能な部材を備える本体部材と、前記ベルト係着用舌片の内側に配設される固定部材よりなり、これら本体部材と固定部材を、ベルト係着用舌片に設けられた通孔を介して接続できるように構成したものとしてある。
【０００９】
また、前記固定部材における前記ベルト係着用舌片に有する通孔径よりも小なる外径の雌ねじポストを同ベルト係着用舌片の通孔にケース側より挿通して同固定部材をベルト係着用舌片に対しケース側にセットするとともに、前記本体部材を貫通する貫通孔を介して雄ねじを前記固定部材の雌ねじポストに螺挿して、本体部材を固定部材に固定することによりベルト係着用舌片上に取り付けることができるように構成したものとしてある。
【００１０】
さらに、前記固定部材と本体部材の横幅を巻尺のベルト係着用舌片の横幅よりも大なるものとし、これら固定部材と本体部材の側端部寄りにそれぞれ設けた係合部どうしを嵌め合わせることにより、固定部材と本体部材とを係合させるように構成したものとしてある。
【発明の効果】
【００１１】
本発明のマグネット保持具の巻尺側に装着する磁着部材によれば、通常装備のベルトクリップを設けている巻尺に対し、同巻尺のベルトクリップにおけるベルト係着用舌片に有する通孔を利用してマグネットもしくは磁着可能な金属からなる磁着部材を装着できるようにしているので、前記磁着部材をマグネット保持具に対応させた専用巻尺と同じ位置となるベルトクリップの設置位置の上方に、巻尺に有するねじやケースを取り外することなく簡単、かつ容易に配設することができる。
【００１２】
また、巻尺のベルトクリップにおけるベルト係着用舌片の内側に配設される磁着部における固定部材は、同ベルト係着用舌片に有する弾性復元力に抗するように配設するため、ベルト係着用舌片の弾性復元力によって巻尺のケース面に強く押さえ付けられ、同固定部材に接続固定するマグネット保持具のマグネットと磁着吸引するマグネットを設けた本体部材も巻尺のベルトクリップにおけるベルト係着用舌片上にしっかりと設置できる。
【００１３】
したがって、巻尺の磁着部材をマグネット保持具のマグネットに磁着させる場合も、同巻尺の磁着部材がマグネット保持具に対応させた専用巻尺と同じ位置にしっかりと配設されるので、専用巻尺をマグネット保持具に磁着させる時と同じようにスムースに、かつ確実に巻尺の磁着部材をマグネット保持具のマグネットに磁着でき、巻尺の使用者が高所等の危険な場所で作業をしている場合でも、巻尺を安全にマグネット保持具に保持させることができる。
【発明を実施するための最良の形態】
【００１４】
以下、本発明のマグネット保持具の巻尺側に装着する磁着部材の一例を添付図面に基づいて説明する。
この巻尺側に装着する磁着部材１は、図１に示すように、本体部材２と固定部材３とで構成され、これら本体部材２と固定部材３とは雄ねじたる固定ねじ４で接続されるようになっている。
【００１５】
本体部材２には、図６に示すようなクリップ体たるマグネット保持具１０のマグネット１１に磁着吸引するマグネット２ａを設けていて、このマグネット２ａの外部に臨む面は、通常平坦に形成しているマグネット保持具１０におけるマグネット１１の外面にしっかりと磁着吸引できるように、少なくとも外部に臨む側の面を平坦にしている。
【００１６】
また本体部材２には、後述する固定部材３と接続するための固定ねじ４を挿通する貫通孔２ｂを、マグネット２ａとこのマグネット２ａを設けた本体部材２の表裏方向にあけてある。
【００１７】
そして、実施例に示した貫通孔２ｄは、固定ねじ４（皿ねじ）の頭部形状に対応するよう貫通孔２ｄの上縁部をすり鉢状に座繰ってあり、また、このすり鉢は固定ねじ４の頭部寸法よりも若干大なるものに形成してあって、固定ねじ４により本体部材２と固定部材３とを接続した際に、固定ねじ４の頭部上面がマグネット２ａの外面よりも突出しないようにしている。
【００１８】
さらに本体部材２における延設片部２ｃの内側下端縁には、後述する固定部材３の係合部３ｂと係合する係合部たる爪２ｄ（図２を参照）を、延設片部２ｃの内方に突出させて設けている。
【００１９】
また、本体部材２に設けたマグネット２ａの外部に臨む面を、図３に示すように、マグネット２ａの周囲を取り囲む本体部材２よりも一段高くして、同マグネット２ａの外部に臨む面がマグネット２ａの周囲を取り囲む本体部材２に邪魔されることなく、図６に示すマグネット保持具１０におけるマグネット１１の外面に確実に接触できて、しっかりと磁着吸引されるようにする場合もある。
【００２０】
また、本体部材２に設けているマグネット２ａを磁着可能な金属に代えて配設し、この磁着可能な金属が、図６に示すマグネット保持具１０のマグネット１１に磁着吸引されるようにする場合もある。
【００２１】
固定部材３には、図５（ａ）に示す巻尺のケース５に配設されているベルトクリップ６のベルト係着用舌片６ａに有する通孔７の通孔径よりも小なる外径の雌ねじポスト３ｃを設けている。
【００２２】
また固定部材３には、前述した本体部材２における延設片部２ｃの内側下端縁に配設する爪２ｄと係合する係合部３ｂを設けてあって、固定ねじ４により本体部材２と固定部材３とを接続した際に、固定ねじ４による本体部材２と固定部材３との中央部分における接続に加え、本体部材２と固定部材３とが側方部分においても係合されるようにして、本体部材２と固定部材３とをより確実に接続できるようにしている。
【００２３】
そして本発明の磁着部材１を巻尺に装着する際は、図５（ａ）に示すように、巻尺のケース５におけるベルトクリップ６のベルト係着用舌片６ａ遊端部を図中の矢印Ａ方向に引き上げてケース５面上とベルト係着用舌片６ａ遊端部付近の下面との間に隙間を作り、この隙間から雌ねじポスト３ｃ上端面をベルト係着用舌片６ａ下面に対向させて固定部材３を矢印Ｂ方向に差し入れ、図５（ｂ）に示すように、雌ねじポスト３ｃをベルト係着用舌片６ａの通孔７に挿通させて固定部材３をベルトクリップ６のベルト係着用舌片６ａ下にセットする。
【００２４】
次に、固定部材３の係合部３ｂと本体部材２における延設片部２ｃの爪２ｄとが係合できる位置において固定部材３の雌ねじポスト３ｃの上部開口に本体部材２の貫通孔２ｂを対向させ本体部材２をベルトクリップ６のベルト係着用舌片６ａ上にセットして、固定ねじ４を本体部材２の貫通孔２ｂに挿通させ固定部材３の雌ねじポスト３ｃの雌ねじに螺挿することで、図５（ｃ）に示すように、本体部材２を巻尺のケース５におけるベルトクリップ６のベルト係着用舌片６ａ上に設置できる。
そして、図７に示すように、巻尺をマグネット保持具１０に保持させることができるようになる。
【００２５】
実施例における図１、図２中の符号３ａは、巻尺のケース５にベルトクリップ６を取り付けている取付ねじ６ｂの頭部との接触を避けるための切り欠き部、図５中における符号８は、測定用テープを引き出した位置に固定するためのブレーキレバー、また符合９は、測定用テープ先端に設けているフック、図６中における符号１２は、マグネット保持具１０のマグネット１１に巻尺側の本体部材２を磁着させた際にこの本体部材２を定位置に磁着させておくためのガイド、また符合１３は、マグネット保持具１０が装着される作業者の腰ベルトである。
【図面の簡単な説明】
【００２６】
【図１】本発明に係る巻尺側に装着する磁着部材の構成を示す斜視図。
【図２】本体部材と固定部材を接続した状態での断面図。
【図３】本体部材における他の形態を示す斜視図。
【図４】図３に示す本体部材の断面図。
【図５】磁着部材の装着過程を示す斜視図。
【図６】腰ベルトに係着したマグネット保持具の一例を示す斜視図。
【図７】マグネット保持具による巻尺の保持状態を示す図。
【符号の説明】
【００２７】
１  磁着部材
２  本体部材
２ａ  マグネット
２ｂ  貫通孔
２ｃ  延設片部
２ｄ  爪
３  固定部材
３ａ  切り欠き部
３ｂ  係合部
３ｃ  雌ねじポスト
４  固定ねじ
５  巻尺ケース
６  ベルトクリップ
６ａ  ベルト係着用舌片
６ｂ  ねじ
７  通孔
８  ブレーキレバー
９  フック
１０  マグネット保持具
１１  マグネット
１２  ガイド
１３  腰ベルト
【図１】
0005226262.tif 000002
【図２】
0005226262.tif 000003
【図３】
0005226262.tif 000004
【図４】
0005226262.tif 000005
【図５】
0005226262.tif 000006
【図６】
0005226262.tif 000007
【図７】
0005226262.tif 000008